(57)【要約】【課題】嵌合接続状態にあるコネクタ同士を傾斜状態として解除しても、それらの嵌合部が可能な限り直線状に引き離されるようにして、嵌合部等にかかる負荷を減らすこと等。【解決手段】第１コネクタの第１ハウジングの第１周壁の嵌合側に、嵌合側に最も突出した凸湾曲部の頂部よりも第１幅方向において外側へ張り出し、且つ、第１長さ方向に沿って延在する衝突面が、第一の第１端子群に含まれる第１端子の配列範囲よりも第１長さ方向において外側の領域等に設けられており、第２コネクタの第２ハウジングの第２周壁の嵌合側とは反対側に、第２周壁よりも第２幅方向において外側へ張り出し、且つ、第２長さ方向に沿って延在する張出部が設けられており、第１コネクタと第２コネクタの嵌合接続時に、張出部の少なくとも一部が衝突面と衝突する。【選択図】図１
2020068117.tif 000002
【特許請求の範囲】
【請求項１】
嵌合方向に沿って互いに嵌合接続及び嵌合解除される第１コネクタと第２コネクタを備え、
前記第１コネクタは、前記嵌合方向と前記嵌合方向と直交する第１長さ方向及び第１幅方向を有する第１ハウジングと、前記第１ハウジングに保持され且つ前記第１長さ方向に沿って配列された複数の第１端子をそれぞれ含む第一の第１端子群及び第二の第１端子群を有し、
前記第２コネクタは、前記嵌合方向と前記嵌合方向と直交する第２長さ方向及び第１幅方向を有する第２ハウジングと、前記第２ハウジングに保持され且つ前記第２長さ方向に沿って配列された複数の第２端子をそれぞれ含む第一の第２端子群及び第二の第２端子群を有し、
前記第１コネクタの前記第１ハウジングは、
前記嵌合方向において前記第１コネクタと前記第２コネクタとの嵌合側へ向かって起立し、且つ、前記第１長さ方向に沿って延びる突壁と、
前記嵌合方向において前記嵌合側へ向かって起立し、且つ、前記第１長さ方向及び前記第１幅方向において前記突壁の外周を取り囲む第１周壁と、
前記嵌合方向において前記嵌合側とは反対側に窪み、且つ、前記第１長さ方向及び前記第１幅方向において前記突壁と前記第１周壁の間に位置する第１受入部と、
を有し、
前記第１コネクタの前記第一の第１端子群及び前記第二の第１端子群は、前記第１長さ方向に沿ってそれぞれ配列され、且つ、前記第１幅方向において前記突壁を隔てて互いに対向配置されており、
前記第１端子は、第１接触部と、前記嵌合方向において前記嵌合側に突出した凸湾曲部を含み、前記凸湾曲部は、前記第１ハウジングから露出した状態で設けられており、
前記第２コネクタの前記第２ハウジングは、
前記嵌合方向において前記第１コネクタと前記第２コネクタとの嵌合側へ向かって起立し、且つ、前記第２長さ方向及び前記第２幅方向において環状に配置された第２周壁であって、前記第１コネクタと前記第２コネクタの嵌合接続時に前記第１受入部に嵌入される前記第２周壁と、
前記嵌合方向において前記嵌合側とは反対側に窪み、且つ、前記第２長さ方向及び前記第２幅方向において前記第２周壁の内側に形成された第２受入部であって、前記第１コネクタと前記第２コネクタの嵌合接続時に前記突壁が嵌入される前記第２受入部と、
を有し、
前記第２コネクタの前記第一の第２端子群及び前記第二の第２端子群は、前記第２長さ方向に沿ってそれぞれ配列され、且つ、前記第２幅方向において前記第２受入部を隔てて互いに対向配置されており、
前記第２端子は、前記第１コネクタと前記第２コネクタの嵌合接続時に前記第１受入部に嵌入されて前記第１端子の前記第１接触部と接触する第２接触部と、前記第２幅方向において前記第２周壁よりも外側に突出した接続部を含み、
前記第１周壁の前記嵌合側に、前記嵌合側に最も突出した前記凸湾曲部の頂部よりも前記第１幅方向において外側へ張り出し、且つ、前記第１長さ方向に沿って延在する衝突面が、前記第一の第１端子群に含まれる前記第１端子の配列範囲よりも前記第１長さ方向において外側の領域、及び、前記第二の第１端子群に含まれる前記第１端子の配列範囲よりも前記第１長さ方向において外側の領域に設けられており、
前記第２周壁の前記嵌合側とは反対側に、前記第２周壁よりも前記第２幅方向において外側へ張り出し、且つ、前記第２長さ方向に沿って延在する張出部が設けられており、
前記第１コネクタと前記第２コネクタの嵌合解除時に、前記張出部の少なくとも一部が前記衝突面と衝突する、
ことを特徴とする回路基板用コネクタ装置。
【請求項２】
前記第１長さ方向は、前記第１幅方向より長く、且つ、前記第２長さ方向は、前記第２幅方向より長い、請求項１に記載の回路基板用コネクタ装置。
【請求項３】
前記張出部の少なくとも一部は、前記第１コネクタと前記第２コネクタの嵌合解除時に、前記嵌合方向において前記接続部と前記衝突面との間に位置付けられる、請求項１又は２に記載の回路基板用コネクタ装置。
【請求項４】
前記張出部の少なくとも一部が、前記張出部の前記嵌合側の面のうち、前記第１幅方向において最も外側に位置する部位である、請求項１乃至３のいずれかに記載の回路基板用コネクタ装置。
【請求項５】
前記嵌合方向において、前記張出部の前記嵌合側の面と、前記第２受入部の前記嵌合側とは反対側の面は、同じ位置に位置付けられている、請求項１乃至４のいずれかに記載の回路基板用コネクタ装置。
【請求項６】
前記嵌合方向において、前記衝突面と、前記突壁の前記嵌合側の頂面は、同じ位置に位置付けられている、請求項１乃至５のいずれかに記載の回路基板用コネクタ装置。
【請求項７】
前記嵌合方向において、前記衝突面と、前記凸湾曲部の前記頂部は、同じ位置に位置付けられている、請求項１乃至６のいずれかに記載の回路基板用コネクタ装置。
【請求項８】
前記嵌合方向において、前記突壁の前記嵌合側の頂面と、前記凸湾曲部の前記頂部は、同じ位置に位置付けられている、請求項１乃至７のいずれかに記載の回路基板用コネクタ装置。
【請求項９】
前記第１端子は、前記嵌合方向と前記第１幅方向によって形成される面において、前記第１受入部に応答して略凹状に形成されており、前記第２周壁が前記第１受入部に嵌入されたときに、前記第２周壁は、略凹状の前記第１受入部に嵌る、請求項１乃至８のいずれかに記載の回路基板用コネクタ装置。
【請求項１０】
前記第１端子は、前記凸湾曲部の前記頂部よりも前記第１幅方向において外側に、前記嵌合方向に沿って前記凸湾曲部と連続する外側腕部を有し、該外側腕部は、前記第１ハウジングに埋没保持されている、請求項１乃至９のいずれかに記載の回路基板用コネクタ装置。
【請求項１１】
前記凸湾曲部の前記頂部よりも前記第１幅方向において外側に位置する前記凸湾曲部の一部は、外部に露出した状態で設けられており、
前記第一の第１端子群に含まれる前記第１端子の配列範囲、及び、前記第二の第１端子群に含まれる前記第１端子の配列範囲において、前記第１ハウジングは、外部に露出した状態で設けられた前記凸湾曲部の一部の面と同じ面を形成している、請求項１乃至１０に記載の回路基板用コネクタ装置。
【請求項１２】
前記第１長さ方向及び前記第１幅方向において互いに離間された計４個の前記衝突面が設けられている、請求項１乃至１１のいずれかに記載の回路基板用コネクタ装置。
【発明の詳細な説明】
【技術分野】
【０００１】
本発明は、嵌合接続及び嵌合解除される第１コネクタと第２コネクタを備える回路基板用コネクタ装置に関する。
【背景技術】
【０００２】
嵌合接続及び嵌合解除される第１コネクタと第２コネクタを備える回路基板用コネクタ装置において、嵌合接続状態にある第１コネクタと第２コネクタの嵌合を解除する際には、第１コネクタと第２コネクタを正規の嵌合方向に沿う方向、例えば、第１コネクタの実装面及び第２コネクタの実装面の双方に直交する方向に沿って、それらを互いに直線状に引き離すのが好ましい。なぜなら、直線状ではなく、傾斜状態としてしまった場合、更に詳細には、一方のコネクタの一端側を他端側に向かって他方のコネクタに対して回動させることによって、それらを引き離してしまった場合には、第１コネクタと第２コネクタの嵌合部や、それらの嵌合部に配置された端子に想定外の負荷を与えてしまい、嵌合部や端子を破損させ、また、端子の接触力を弱めてしまうおそれが生ずるためである。この問題は、端子の一部が嵌合部内に弾性突部として突出した状態で設けられている場合に取り分け大きなものとなる。
【０００３】
このように直線状に引き離すのが好ましいものの、例えば、特開２０１７−２０４４３３号公報（特許文献１）や特開２０１８−７３７４７号公報（特許文献２）でも指摘されているように、実際には、直線状ではなく傾斜状態で第１コネクタと第２コネクタを引き離してしまうことも多い。なぜなら、第１コネクタと第２コネクタを直線状に引き離すには、一方のコネクタにおいて、その一端側と他端側を他方のコネクタに対して同時に持ち上げる必要があり、そのような作業は非常に煩雑であるし、また、コネクタの小型化に伴い、意図せずに、そのような状態で引き離してしまうことも多いからである、更に詳細には、第１コネクタと第２コネクタがそれぞれ回路基板に接続されている場合、それらコネクタは回路基板に隠れてしまうため、コネクタを目視することが不可能となり、この結果、ユーザはあまり意識せずに、また、第１コネクタと第２コネクタが嵌合接続状態にあることを忘れて、第１コネクタと第２コネクタを傾斜状態としてしまうからである。
【０００４】
特許文献１及び２に開示された特許は、第１コネクタと第２コネクタの嵌合解除時に、それらを傾斜状態とすることによって生じる問題を解決するためのものであって、例えば、特許文献１は、第１コネクタに対して第２コネクタが傾斜するような力が付与されたときでも第１端子が捲上がることを防止することを、特許文献２は、そのようなときにコネクタの嵌合状態及び電気的接続が解除されるのを抑制することを、それぞれ目的とする。
【先行技術文献】
【特許文献】
【０００５】
【特許文献１】特開２０１７−２０４４３３号公報
【特許文献２】特開２０１８−７３７４７号公報
【発明の概要】
【発明が解決しようとする課題】
【０００６】
本発明は、嵌合接続及び嵌合解除される第１コネクタと第２コネクタを備える回路基板用コネクタ装置において、嵌合接続状態にある第１コネクタと第２コネクタの嵌合を、直線状ではなく傾斜状態として解除してしまった場合であっても、第１コネクタと第２コネクタの嵌合部が可能な限り直線状に引き離されるようにして、それらの嵌合部やそこに配置された端子に与える負荷を減らし、嵌合部や端子の破損を防止することができる回路基板用コネクタ装置を提供することを目的とする。
【課題を解決するための手段】
【０００７】
上記の課題を解決するため、本発明の一態様による回路基板用コネクタ装置は、嵌合方向に沿って互いに嵌合接続及び嵌合解除される第１コネクタと第２コネクタを備え、前記第１コネクタは、前記嵌合方向と前記嵌合方向と直交する第１長さ方向及び第１幅方向を有する第１ハウジングと、前記第１ハウジングに保持され且つ前記第１長さ方向に沿って配列された複数の第１端子をそれぞれ含む第一の第１端子群及び第二の第１端子群を有し、前記第２コネクタは、前記嵌合方向と前記嵌合方向と直交する第２長さ方向及び第１幅方向を有する第２ハウジングと、前記第２ハウジングに保持され且つ前記第２長さ方向に沿って配列された複数の第２端子をそれぞれ含む第一の第２端子群及び第二の第２端子群を有し、前記第１コネクタの前記第１ハウジングは、前記嵌合方向において前記第１コネクタと前記第２コネクタとの嵌合側へ向かって起立し、且つ、前記第１長さ方向に沿って延びる突壁と、前記嵌合方向において前記嵌合側へ向かって起立し、且つ、前記第１長さ方向及び前記第１幅方向において前記突壁の外周を取り囲む第１周壁と、前記嵌合方向において前記嵌合側とは反対側に窪み、且つ、前記第１長さ方向及び前記第１幅方向において前記突壁と前記第１周壁の間に位置する第１受入部と、を有し、前記第１コネクタの前記第一の第１端子群及び前記第二の第１端子群は、前記第１長さ方向に沿ってそれぞれ配列され、且つ、前記第１幅方向において前記突壁を隔てて互いに対向配置されており、前記第１端子は、第１接触部と、前記嵌合方向において前記嵌合側に突出した凸湾曲部を含み、前記凸湾曲部は、前記第１ハウジングから露出した状態で設けられており、前記第２コネクタの前記第２ハウジングは、前記嵌合方向において前記第１コネクタと前記第２コネクタとの嵌合側へ向かって起立し、且つ、前記第２長さ方向及び前記第２幅方向において環状に配置された第２周壁であって、前記第１コネクタと前記第２コネクタの嵌合接続時に前記第１受入部に嵌入される前記第２周壁と、前記嵌合方向において前記嵌合側とは反対側に窪み、且つ、前記第２長さ方向及び前記第２幅方向において前記第２周壁の内側に形成された第２受入部であって、前記第１コネクタと前記第２コネクタの嵌合接続時に前記突壁が嵌入される前記第２受入部と、を有し、前記第２コネクタの前記第一の第２端子群及び前記第二の第２端子群は、前記第２長さ方向に沿ってそれぞれ配列され、且つ、前記第２幅方向において前記第２受入部を隔てて互いに対向配置されており、前記第２端子は、前記第１コネクタと前記第２コネクタの嵌合接続時に前記第１受入部に嵌入されて前記第１端子の前記第１接触部と接触する第２接触部と、前記第２幅方向において前記第２周壁よりも外側に突出した接続部を含み、前記第１周壁の前記嵌合側に、前記嵌合側に最も突出した前記凸湾曲部の頂部よりも前記第１幅方向において外側へ張り出し、且つ、前記第１長さ方向に沿って延在する衝突面が、前記第一の第１端子群に含まれる前記第１端子の配列範囲よりも前記第１長さ方向において外側の領域、及び、前記第二の第１端子群に含まれる前記第１端子の配列範囲よりも前記第１長さ方向において外側の領域に設けられており、前記第２周壁の前記嵌合側とは反対側に、前記第２周壁よりも前記第２幅方向において外側へ張り出し、且つ、前記第２長さ方向に沿って延在する張出部が設けられており、前記第１コネクタと前記第２コネクタの嵌合解除時に、前記張出部の少なくとも一部が前記衝突面と衝突する、ことを特徴として有する。
【０００８】
上記態様の回路基板用コネクタ装置において、前記第１長さ方向は、前記第１幅方向より長く、且つ、前記第２長さ方向は、前記第２幅方向より長くてもよい。
【０００９】
また、上記態様の回路基板用コネクタ装置において、前記張出部の少なくとも一部は、前記第１コネクタと前記第２コネクタの嵌合解除時に、前記嵌合方向において前記接続部と前記衝突面との間に位置付けられてもよい。
【００１０】
更に、上記態様の回路基板用コネクタ装置において、前記張出部の少なくとも一部が、前記張出部の前記嵌合側の面のうち、前記第１幅方向において最も外側に位置する部位であるのが好ましい。
【００１１】
また、上記態様の回路基板用コネクタ装置において、前記嵌合方向において、前記張出部の前記嵌合側の面と、前記第２受入部の前記嵌合側とは反対側の面は、同じ位置に位置付けられていてもよい。
【００１２】
また、上記態様の回路基板用コネクタ装置において、前記嵌合方向において、前記衝突面と、前記突壁の前記嵌合側の頂面は、同じ位置に位置付けられていてもよい。
【００１３】
また、上記態様の回路基板用コネクタ装置において、前記嵌合方向において、前記衝突面と、前記凸湾曲部の前記頂部は、同じ位置に位置付けられていてもよい。
【００１４】
また、上記態様の回路基板用コネクタ装置において、前記嵌合方向において、前記突壁の前記嵌合側の頂面と、前記凸湾曲部の前記頂部は、同じ位置に位置付けられていてもよい。
【００１５】
更に、上記態様の回路基板用コネクタ装置において、前記第１端子は、前記嵌合方向と前記第１幅方向によって形成される面において、前記第１受入部に応答して略凹状に形成されており、前記第２周壁が前記第１受入部に嵌入されたときに、前記第２周壁は、略凹状の前記第１受入部に嵌るようになっていてもよい。
【００１６】
また、上記態様の回路基板用コネクタ装置において、前記第１端子は、前記凸湾曲部の前記頂部よりも前記第１幅方向において外側に、前記嵌合方向に沿って前記凸湾曲部と連続する外側腕部を有し、該外側腕部は、前記第１ハウジングに埋没保持されていてもよい。
更に、上記態様の回路基板用コネクタ装置において、前記凸湾曲部の前記頂部よりも前記第１幅方向において外側に位置する前記凸湾曲部の一部は、外部に露出した状態で設けられており、前記第一の第１端子群に含まれる前記第１端子の配列範囲、及び、前記第二の第１端子群に含まれる前記第１端子の配列範囲において、前記第１ハウジングは、外部に露出した状態で設けられた前記凸湾曲部の一部の面と同じ面を形成していてもよい。
【００１７】
また、上記態様の回路基板用コネクタ装置において、前記第１長さ方向及び前記第１幅方向において互いに離間された計４個の前記衝突面が設けられていてもよい。
【発明の効果】
【００１８】
本発明によれば、嵌合接続及び嵌合解除される第１コネクタと第２コネクタを備える回路基板用コネクタ装置において、嵌合接続状態にある第１コネクタと第２コネクタの嵌合を、直線状ではなく傾斜状態として解除してしまった場合であっても、第１コネクタと第２コネクタの嵌合部が可能な限り直線状に引き離されるようにして、それらの嵌合部やそこに配置された端子に与える負荷を減らし、嵌合部や端子の破損を防止することができる回路基板用コネクタ装置が提供される。
【図面の簡単な説明】
【００１９】
【図１】本実施形態に係る回路基板用コネクタ装置に含まれるレセプタクルコネクタとプラグコネクタの嵌合接続前又は嵌合解除後の状態を示す斜視図である。
【図２】図１のレセプタクルコネクタ及びプラグコネクタを上下反転させて示した斜視図である。
【図３】レセプタクルコネクタの平面図である。
【図４】レセプタクルコネクタとプラグコネクタの嵌合接続前又は嵌合解除後の状態を示す側面図である。
【図５】図４のＡ−Ａ線及びＢ-Ｂ線断面図である。
【図６】レセプタクルコネクタとプラグコネクタの嵌合接続後又は嵌合解除前の状態を示す側面図である。
【図７】図６のＣ−Ｃ線及びＤ-Ｄ線断面図である。
【図８】レセプタクルコネクタとプラグコネクタの嵌合解除時における斜視図である。
【図９】図８のＥ−Ｅ線及びＦ−Ｆ線断面図である
【発明を実施するための形態】
【００２０】
以下、添付図面にもとづき、本発明の一つの好適な実施形態について説明する。
図１は、本実施形態に係る回路基板用コネクタ装置に含まれるレセプタクルコネクタ（第１コネクタ）１、及び、これに対して嵌合接続及び嵌合解除される相手コネクタとしてのプラグコネクタ（第２コネクタ）２の斜視図であり、それらの嵌合接続前又は嵌合解除後の状態を示している。図２は、図１のレセプタクルコネクタ１及びプラグコネクタ２を上下反転させて示した斜視図、更に、図３は、レセプタクルコネクタ１の平面図である。
【００２１】
本実施形態におけるレセプタクルコネクタ１及びプラグコネクタ２は、それぞれ異なる回路基板５、６（図１にのみ、レセプタクルコネクタ１の回路基板５を、また、図２にのみ、プラグコネクタ２の回路基板６を、それぞれ示す。）の実装面上に配される回路基板用電気コネクタであり、各回路基板５、６の実装面に対して直角な方向を、本来的な、言い換えれば、理想的な嵌合方向「α」とするコネクタ組立体を構成している。便宜上、本明細書では、プラグコネクタ２をレセプタクルコネクタ１に嵌合接続させる方向を嵌合接続方向「α１」と呼び、逆に、プラグコネクタ２をレセプタクルコネクタ１から嵌合解除させる方向を嵌合解除方向「α２」と呼び、更に、これら嵌合接続方向「α１」及び嵌合解除方向「α２」に沿う方向を嵌合方向「α」と呼ぶ。また、便宜上、嵌合方向「α」において、レセプタクルコネクタ１が位置する側を「下」側、一方、プラグコネクタ２が位置する側を「上」側として区別する。但し、これら「上」、「下」の語は、方向を区別するためだけのものであって特別な意味は存在しない。
【００２２】
［レセプタクルコネクタ１の構成］
レセプタクルコネクタ１は、図１、図２で示される姿勢で、回路基板５上に配置実装される。レセプタクルコネクタ１は、略直方体外形をなし、嵌合方向「α」と、この嵌合方向「α」と直交する長さ方向「β１」（第１長さ方向）及び幅方向「γ１」（第１幅方向）を有するハウジング（第１ハウジング）１０と、長さ方向「β１」に沿ってハウジング１０に一体モールド成形（一体成形）により配列保持された複数のレセプタクル信号端子２０及びレセプタクル電源端子４５Ａ、４５Ｂと、ハウジング１０に一体モールド成形により保持されるレセプタクル補強金具３０を有する。レセプタクル信号端子２０は、幅方向「γ１」において対称な二列をなして、且つ、長さ方向「β１」に沿って複数（ここでは６個）配列されている。また、レセプタクル電源端子４５は、幅方向「γ１」において対称な二列をなして、且つ、長さ方向「β１」に沿ってレセプタクル信号端子２０の外側に配列された、計２個のレセプタクル電源端子４５Ａ、４５Ｂを含む。レセプタクル補強金具３０は、長さ方向「β１」において対向するハウジング１０の端部にそれぞれ１個ずつ、固定部３４等を利用して回路基板５に半田付けされた状態で配置されている。ハウジング１０は、例えば、長さ方向「β１」の寸法が、３〜１０ｍｍ程度、幅方向「γ１」の寸法が、１〜５ｍｍ程度の小さなものであってもよい。ここでは長さ方向「β１」を、ハウジング１０の長手方向、幅方向「γ１」を、ハウジング１０の短手方向とし、また、長さ方向「β１」と幅方向「γ１」は直交するものとしているが、長さ方向「β１」を、短手方向、幅方向「γ１」を、長手方向としてもよく、また、長さ方向「β１」と幅方向「γ１」は必ずしも直交する必要はない。
【００２３】
ハウジング１０は、樹脂等の電気絶縁材で作られており、取付対象面である回路基板５の実装面に対して平行な底面をもち長さ方向「β１」を長手方向として延びる底壁１１（図２参照）と、幅方向「γ１」での底壁１１の中央域にて底壁１１からレセプタクルコネクタ１とプラグコネクタ２との嵌合側へ向かって上方へ起立し、且つ、長さ方向「β１」に沿って延びる突壁１２と、底壁１１から上方へ起立し、且つ、長さ方向「β１」及び幅方向「γ１」において突壁１２の外周囲を取り囲む矩形枠状の周壁（第１周壁）１３とを有している。
【００２４】
周壁１３は、幅方向「γ１」で対向する底壁１１の縁部から上方へ起立して長さ方向「β１」に延びる一対の外壁としての側壁１４と、長さ方向「β１」で対向する底壁１１の縁部から上方へ起立するとともに、上記一対の側壁１４の端部同士を連結して幅方向「γ１」に延びる一対の外壁としての端壁１５とを有している。周壁１３、特に、その側壁１４の嵌合側には、少なくともレセプタクルコネクタ１とプラグコネクタ２との嵌合解除時に、プラグコネクタ２の一部と衝突させる計４個の衝突面２５ａ〜２５ｄが、長さ方向「β１」及び幅方向「γ１」において互いに離間された状態で設けられている。周壁１３と突壁１２の間の開口した矩形環状の空間は、プラグコネクタ２の一部（５３）を受け入れるための受入部（第１受入部）１６を形成している。受入部１６は、長さ方向「β１」及び幅方向「γ１」において周壁１３と突壁１２との間に位置し、嵌合方向「α」においてレセプタクルコネクタ１とプラグコネクタ２との嵌合側とは反対側に窪んだ状態で設けられている。
【００２５】
ハウジング１０は、長さ方向「β１」での端部が、レセプタクル端子２０レセプタクルコネクタ電源端子４５、レセプタクル補強金具３０、及び衝突面２５ａ〜２５ｄよりも高く形成されている。上記端部では、側壁１４の内面（受入部１６側に位置する面）の上部に、下方へ向かうにつれて幅方向「γ１」内側に傾斜する側方案内面１４Ａが形成されている。該側方案内面１４Ａは、コネクタ嵌合過程にてプラグコネクタ２を幅方向「γ１」で受入部１６内へ向けて案内する。
【００２６】
端壁１５の内面（受入部１６側に位置する面）の上部には、幅方向「γ１」での両端域で下方に向かうにつれて長さ方向「β１」内側へ傾斜する端案内面１５Ａが形成されている。該端案内面１５Ａの上縁及び下縁は、側方案内面１４Ａの上縁及び下縁と同じ高さに位置している。該端案内面１５Ａは、コネクタ嵌合過程にてプラグコネクタ２をコネクタ長さ方向「β１」で受入部１６内へ向けて案内する。
【００２７】
また、側方案内面１４Ａと端案内面１５Ａとの間には、下方に向かうにつれて幅方向「γ１」内側及び長さ方向「β１」内側へ傾斜する隅案内面１０Ａが形成されている。該隅案内面１０Ａの上縁及び下縁は、側方案内面１４Ａ及び端案内面１５Ａの上縁及び下縁と同じ高さに位置している。該隅案内面１０Ａは、コネクタ嵌合過程にてプラグコネクタ２を幅方向「γ１」及び長さ方向「β１」で受入部１６内へ向けて案内する。
【００２８】
レセプタクル信号端子２０は、レセプタクル電源端子４５Ａ、４５Ｂとともに、２つの端子群（第一の第１端子群）２０Ａと端子群（第二の第１端子群）２０Ｂを形成しており、これら端子群２０Ａ及び端子群２０Ｂは、それぞれ、長さ方向「β１」でのハウジング１０の後述する突壁１２の範囲にて、幅方向「γ１」において対称な二列をなして長さ方向「β１」に沿って配列され、且つ、幅方向「γ１」においてハウジング１０の突壁１２を隔てて互いに対向配置されている。
【００２９】
周壁１３に設けた衝突面２５ａ〜２５ｄはそれぞれ、端子群２０Ａに含まれるレセプタクル信号端子２０及びレセプタクル電源端子４５Ａの配列範囲２８Ａよりも長さ方向「β１」において外側の領域、及び、端子群２０Ｂに含まれるレセプタクル信号端子２０（より詳細には、その接触腕部２２）及びレセプタクル電源端子４５Ｂ（より詳細には、その接触腕部４４）の配列範囲２８Ｂよりも長さ方向「β１」において外側の領域にのみ設けられている。言い換えれば、端子群２０Ａに含まれるレセプタクル信号端子２０の配列範囲２８Ａ、及び、端子群２０Ｂに含まれるレセプタクル信号端子２０の配列範囲２８Ｂに、衝突面２５ａ〜２５ｄは設けられていない。この結果、これらの範囲では、衝突面２５ａ〜２５ｄが設けられている部分よりも、幅方向「γ１」において内側に窪んだ状態となっている。
【００３０】
突壁１２には、長さ方向「β１」でのレセプタクル信号端子２０に対応する位置に信号端子用溝部１２Ａが、そしてレセプタクル電源端子４５に対応する位置に電源端子用溝部１２Ｂが、幅方向「γ１」に対して直角な突壁１２の側面から没するとともに嵌合方向「α」に延びて形成されている。端子用溝部１２Ａ，１２Ｂは、突壁１２の起立範囲の略全域にわたって形成されており、上端位置では開放されているとともに、下端位置では底壁１１によって少なくとも一部を閉塞されている。該端子用溝部１２Ａ，１２Ｂは、端子２０，４５の接触腕部２２，４４を収容している。
＊先の出願（Y2A-0661）では、レセプタクル補強金具３０の一部として形成されたレセプタクル電源端子４５を構成しておりますが、本願ではその必要はありません。すなわち、補強金具３０と、電源端子４５Ａ、４５Ｂとは、別体として記載してください。図５Ｂも矛盾はしません。
【００３１】
図４に、図１、図２に示す状態におけるレセプタクルコネクタ１とプラグコネクタ２の側面図を、図５の（Ａ）に、図４のＡ−Ａ線断面図を、図５の（Ｂ）に、図４のＢ−Ｂ線断面図を、それぞれ示す。
【００３２】
図５の（Ａ）によく示されているように、レセプタクル信号端子２０は、帯状の金属板条片を板厚方向で屈曲して作られていて、ハウジングの底壁１１に沿って幅方向「γ２」に延びる基部２１と、該基部２１の突壁１２側の端部から上方へ向けて延びる接触腕部２２と、基部２１の側壁１４側の端部で上方へ向けて延びてから下方へ向けて折り返された逆Ｕ字状の被保持部２３と、該被保持部２３の下端から幅方向「γ２」において外側へ向けて延びる接続部２４とを有している。基部２１、接触腕部２２、及び被保持部２３は、嵌合方向「α」と幅方向「γ１」によって形成される面において、受入部１６に応答して略凹状に形成されている。底壁１１には、長さ方向「β１」におけるレセプタクル信号端子２０の対応位置にて、嵌合方向「α」に貫通する複数の底孔部１１Ａが長さ方向「β１」に沿って配列形成されており、これら底孔部１１Ａは、幅方向「γ１」にて、レセプタクル信号端子２０の接触腕部２２と被保持部２３との間に形成されている。
【００３３】
基部２１は、底壁１１に一体モールド成形により保持されている。該基部２１は、受入部１６内に向けてその上面が露出しているとともに、その下面の一部が回路基板側に露出している。
【００３４】
接触腕部２２は、突壁１２の信号端子用溝部１２Ａ内に収容されており、その板厚方向（幅方向「γ１」）で弾性変位可能となっている。該接触腕部２２は、その自由端側たる上端側部分が側壁１４に向けて凸湾曲して、後述するプラグコネクタ２のプラグ信号端子６０と弾性接触するための弾性突部２２Ａとして形成されている。プラグ信号端子６０と確実に接触させるため、弾性突部２２Ａは、幅方向「γ１」において突壁１２よりも外側に弾性突出した状態で設けられている。接触腕部２２は、自由状態にて、弾性突部２２Ａの湾曲頂部がハウジング１０の信号端子用溝部１２Ａから突出して受入部１６内に位置している。
【００３５】
被保持部２３は、基部２１の側壁１４側の端部から該側壁１４の内面に沿って嵌合方向「α」に沿って上方へ向けて延びる内側腕部２３Ａと、該内側腕部２３Ａの上端から連続して該内側腕部２３Ａよりも幅方向「γ１」において外側位置で下方へ向けて折り返される移行部２３Ｂと、該移行部２３Ｂから連続して該移行部２３Ｂよりも幅方向「γ１」において外側位置で嵌合方向「α」に沿って下方へ向けて延びる外側腕部２３Ｃとを有しており、側壁１４に一体モールド成形により保持されている。
【００３６】
内側腕部２３Ａは、受入部１６内に向けて板面が露出しており、該板面から矩形状に没したロック凹部２３Ａ−１が形成されている。該ロック凹部２３Ａ−１は、後述するプラグコネクタ２のプラグ信号端子６０の被ロック段部６１Ａ−１に係止することにより、コネクタ嵌合状態を維持してコネクタ同士の抜けを防止するとともに、該被ロック段部６１Ａ−１との係止時に接触して電気的に導通することにより、上記弾性突部２２Ａを補助する役割も果たす。
【００３７】
移行部２３Ｂは、上方へ向けて凸湾曲して凸湾曲部を形成しており、凸湾曲部のうち、嵌合側に最も突出した当該凸湾曲部の頂部２３Ｂ−２よりも幅方向「γ１」において内側及び外側を含むその略全体がハウジング１０（側壁１４）から露出している。外側腕部２３Ｃは、側壁１４から露出することなく該側壁１４内に埋設保持されている（図５の（Ｂ）をも参照）。
【００３８】
接続部２４は、基部２１よりも下方位置で、外側腕部２３Ｃの下端から幅方向「γ１」において外側へ向けて側壁１４の外面とほぼ同位置にまで直状に延びており、ハウジング１０の底壁１１から露出している。該接続部２４は、回路基板５の対応信号回路部（図示せず）に半田接続されるようになっている。
【００３９】
前述した衝突面２５ａ〜２５ｄは、移行部２３Ｂを形成する凸湾曲部のうち、嵌合側に最も突出した当該凸湾曲部２３Ｂの頂部２３Ｂ−２よりも、幅方向「γ１」において外側へ張り出し、且つ、長さ方向「β１」に沿って延在した状態で設けられている。すなわち、衝突面２５ａ〜２５ｄは、嵌合方向「α」に直交する長さ方向「β１」と幅方向「γ１」によって形成される面である。また、これら衝突面２５ａ〜２５ｄは、嵌合方向「α」において、凸湾曲部２３Ｂの頂部２３Ｂ−２と同じ位置に、また、突壁１２の嵌合側の頂面１２−１と同じ位置に位置付けられている。更に、突壁１２の嵌合側の頂面１２−１は、嵌合方向「α」において、凸湾曲部２３Ｂの頂部２３Ｂ−２と同じ位置に位置付けられている。
【００４０】
図５の（Ｂ）によく示されているように、レセプタクル電源端子４５は、レセプタクル信号端子２０と実質的に同じ断面形状を有している。レセプタクル電源端子４５は、レセプタクル信号端子２０の基部２１、接触腕部２２、被保持部２３、及び接続部２４に対応する部材として、それぞれ、基部４３、接触腕部４４、被保持部３９、及び接続部４２を有する。接触腕部４４には、レセプタクル信号端子２０の弾性突部２２Ａに対応する弾性突部４４Ａが、また、側壁側被保持部３９のロック板部４１には、レセプタクル信号端子２０のロック凹部２３Ａ−１に対応する、矩形状に没したロック凹部４１Ａが、それぞれ形成されている。
【００４１】
被保持部３９の移行部４０は、レセプタクル信号端子２０の被保持部２３の移行部２３Ｂと同様に、上方へ向けて凸湾曲しており、その頂部４０Ａは、嵌合方向「α」において、移行部２３Ｂの頂部２３Ｂ−２や、側壁１４の上面と同じ位置位置付けられている。
【００４２】
以上の構成のレセプタクルコネクタ１は、以下の要領で製造される。
まず、レセプタクル信号端子２０、レセプタクル電源端子４５、及びレセプタクル補強金具３０を、上方からもたらされた上側金型と下方からもたらされた下側金型によって固定する。このとき、特に、レセプタクル信号端子２０とレセプタクル電源端子４５については、幅方向「γ１」において内側に窪んだ窪み２６を設けた結果、移行部２３Ｂの全体を押えることができるため、移行部２３Ｂの半分だけを押える場合、更に詳細には、移行部２３Ｂを形成している凸湾曲部のうち、嵌合側に最も突出した当該凸湾曲部の頂部２３Ｂ−２よりも幅方向「γ１」において内側だけで押さえる場合と比較して、押さえる面積が大きいため、一体モールド成形時におけるレセプタクル信号端子２０の姿勢をより安定させることができる。尚、これらの窪み２６は、端子２０の凸湾曲部２３Ｂの頂部２３Ｂ−２よりも幅方向「γ１」において外側に位置する凸湾曲部２３Ｂの一部を、外部に露出させており、また、これらの窪み２６に位置する第１ハウジング１０は、配列範囲２８Ａ及び２８Ｂにおいて、外部に露出させた凸湾曲部２３Ｂの一部の面と同じ面を形成している。
【００４３】
次に、組み合わされた上下二つの金型内に樹脂を注入して、レセプタクル信号端子２０、レセプタクル電源端子４５及びレセプタクル補強金具３０をハウジング１０と一体モールド成形することにより、該ハウジング１０に保持させる。
【００４４】
その後、上側金型及び下側金型をそれぞれ上方そして下方へ移動して抜去することにより、レセプタクルコネクタ１が完成する。
【００４５】
［プラグコネクタ２の構成］
次に、プラグコネクタ２の構成について説明する。プラグコネクタ２は、図１、図２で示される姿勢で、回路基板６上に配置実装される。図１、図２に見られるように、プラグコネクタ２は、略直方体外形をなし、嵌合方向「α」と、この嵌合方向「α」と直交する長さ方向「β２」（第２長さ方向）及び幅方向「γ２」（第２幅方向）を有するハウジング（第２ハウジング）５０と、長さ方向「β２」に沿ってハウジング５０に一体モールド成形により配列保持された複数のプラグ信号端子６０及びプラグ電源端子７５Ａ、７５Ｂと、プラグ補強金具７０を有する。プラグ信号端子６０は、幅方向「γ２」において対称な二列をなして、且つ、長さ方向「β２」に沿って複数（ここでは６個）配列されている。また、プラグ電源端子７５は、幅方向「γ２」において対称な二列をなして、且つ、長さ方向「β１」に沿ってプラグ信号端子６０の外側に配列された、計２個のレセプタクル電源端子７５Ａ、７５Ｂを含む。プラグ補強金具７０は、長さ方向「β２」において対向するハウジング５０の端部にそれぞれ１個ずつ配置されている。＊修正願います。ここでは長さ方向「β２」を、ハウジング５０の長手方向、幅方向「γ２」を、ハウジング５０の短手方向とし、また、長さ方向「β２」と幅方向「γ２」は直交するものとしているが、長さ方向「β２」を、短手方向、幅方向「γ２」を、長手方向としてもよく、また、長さ方向「β２」と幅方向「γ２」は必ずしも直交する必要はない。
【００４６】
ハウジング５０は、樹脂等の電気絶縁材で作られており、取付対象面である回路基板６の実装面に対して平行な底面をもち長さ方向「β２」に延びる底壁５１と、該底壁５１からレセプタクルコネクタ１とプラグコネクタ２との嵌合側へ向かって下方へ起立し、且つ、長さ方向「β２」及び幅方向「γ２」において環状に配置された、嵌合部としての矩形枠状の周壁（第２周壁）５３と、嵌合方向「α」において嵌合側とは反対側に窪み、且つ、長さ方向「β２」及び幅方向「γ２」において周壁５３の内側に形成された受入部（第２受入部）５６を有している。
【００４７】
周壁５３は、互いに対向して長さ方向「β２」に延びる二つの側壁５４と、該二つの側壁５４の端部同士を連結しコネクタ長さ方向に対して直角な幅方向「γ２」に延びる二つの端壁５５とを有している。周壁５３によって囲まれ嵌合側において開口した空間は、レセプタクルコネクタ１の突壁１２を受け入れるための受入部５６を形成している。
【００４８】
底壁５１、言い換えれば、周壁５３の嵌合側とは反対側に、張出部５１Ａが形成されている。張出部５１Ａは、長さ方向「γ２」での側壁５４の全域にわたって延在し、且つ、側壁５４よりも幅方向「γ２」において外側へ張り出した状態で形成されている。張出部５１Ａは、幅方向「γ２」において、レセプタクル端子２０の移行部２３Ｂ及びレセプタクルコネクタ電源端子４５の移行部４０に対応して位置している。張出部５１Ａの嵌合側の面５１Ａ−１は、後述するプラグ信号端子６０の接続部６２及びプラグ電源端子７５の側方固定部７４の双方の上面７４−１よりも高く位置している。また、張出部５１Ａの嵌合側の面５１Ａ−１と、受入部５６における嵌合側とは反対側の面５６−１は、嵌合方向「α」において、同じ位置に位置付けられている。
【００４９】
プラグ信号端子６０は、プラグ電源端子７５Ａ、７５Ｂとともに、２つの端子群（第一の第２端子群）６０Ａ及び端子群（第二の第２端子群）６０Ｂを形成しており、これら端子群６０Ａ及び端子群６０Ｂは、それぞれ長さ方向「β２」でのハウジング５０の後述する受入部５６の範囲にて、幅方向「γ２」において対称な二列をなして長さ方向「β２」に沿って配列され、且つ、幅方向「γ２」においてハウジング５０の後述する受入部５６を隔てて互いに対向配置されている。
【００５０】
図５の（Ａ）によく示されているように、プラグ信号端子６０は、帯状の金属板条片を板厚方向に屈曲して作られており、側壁５４に保持されるＵ字状のＵ字状部６１と、該Ｕ字状部６１の二つの腕部のうち受入部５６側に位置する一方の腕部（後述の内側腕部６１Ｃ）の上端から、幅方向「γ２」において外側へ向けて延び回路基板の対応信号回路部に接続される接続部６２とを有している。プラグ信号端子６０は、Ｕ字状部６１で、ハウジング５０との一体モールド成形により保持されている。
【００５１】
Ｕ字状部６１は、コネクタ嵌合状態にて、レセプタクルコネクタ１のレセプタクル信号端子２０の接触腕部２２と内側腕部２３Ａとの間に突入する部分であり、側壁５４を下方から跨ぐようにして該側壁５４に埋設されている。該Ｕ字状部６１は、側壁５４の外面に沿って下方へ延びる外側腕部６１Ａと、該外側腕部６１Ａの下端から幅方向「γ２」において内側位置で上方へ向けて折り返される移行部６１Ｂと、該移行部６１Ｂを経て上方へ向けて延びる内側腕部６１Ｃとを有している。
【００５２】
Ｕ字状部６１の外側腕部６１Ａは、側壁５４の外面から板面が露出していている。その露出した板面には、該板面の上部が没して形成された段状をなし該外側腕部６１Ａの幅方向（コネクタ長さ方向）に延びる被ロック段部６１Ａ−１が形成されており、該被ロック段部６１Ａ−１がレセプタクル端子２０のロック凹部２３Ａ−１と係止するようになっている。移行部６１Ｂは、幅方向「γ２」に延びており、該移行部６１Ｂの下面が側壁５４から露出している。内側腕部６１Ｃは、受入部５６側の板面が側壁５４の内面から露出していて、その露出した板面が、コネクタ嵌合状態にてレセプタクル信号端子２０の弾性突部２２Ａと接圧をもって接触する対応接触部として形成されている。
【００５３】
接続部６２は、内側腕部６１Ｃの上端から底壁５１の底面に沿って幅方向「γ２」において側壁５４よりも外側へ向けて直状に延び、ハウジング５０外へ延出しており（図１をも参照）、回路基板の対応信号回路部に半田接続可能となっている。
【００５４】
図５の（Ｂ）によく示されているように、プラグ電源端子７５は、プラグ信号端子６０と実質的に同じ形状を有している。プラグ電源端子７５は、プラグ信号端子６０と同様に、金属板部材を板厚方向に屈曲して作られており、プラグ信号端子６０の外側腕部６１Ａ、移行部６１Ｂ、及び内側腕部６１Ｃや、接続部６２に対応する部材として、それぞれ、外側腕部７１、移行部７２、内側腕部７３や、接続部７４を有する。外側腕部７１には、プラグ信号端子６０の被ロック段部に対応する、段状に没した被ロック段部７１Ａが形成されている。該被ロック段部７１Ａは、プラグ信号端子６０の外側腕部６１Ａの被ロック段部６１Ａ−１と同じ高さ位置に形成されている。該被ロック段部７１Ａは、レセプタクルコネクタ１との嵌合状態にて、レセプタクルコネクタ電源端子４５のロック凹部４１Ａとロックし合うようになっている。
【００５５】
図６に、レセプタクルコネクタ１とプラグコネクタ２の嵌合接続後又は嵌合解除前の状態、更に言えば、図４に対応する側面図を、また、図７の（Ａ）に、図６のＣ−Ｃ線断面図であって、図５の（Ａ）に相当する図、図７の（Ｂ）に、図６のＤ−Ｄ線断面図であって、図５の（Ｂ）に相当する断面図を、それぞれ示す。
【００５６】
レセプタクルコネクタ１とプラグコネクタ２の嵌合接続時には、プラグコネクタ２の周壁５３が、プラグ信号端子６０等とともに、レセプタクルコネクタ１の受入部１６に嵌入され、また、レセプタクルコネクタ１の突壁１２が、レセプタクル補助金具３０の一部とともに、プラグコネクタ２の受入部５６や、受入部５６の形状に応答してレセプタクル信号端子２０の一部、即ち、基部２１、接触腕部２２、及び被保持部２３によって略凹状に形成された部分に嵌入される。この結果、プラグコネクタ２のプラグ信号端子６０のＵ字状部６１は、レセプタクルコネクタ１のレセプタクル信号端子２０の弾性突部２２Ａおよびロック凹部２３Ａ−１との間を押し拡げて突入し、そして、接触腕部２２が幅方向「γ１」で内側へ弾性変位する。さらに、Ｕ字状部６１の突入が進行すると、コネクタ嵌合状態にて、弾性突部２２ＡがＵ字状部６１の内側腕部６１Ｃ（対応接触部）と接圧をもって接触するとともに、Ｕ字状部６１の外側腕部６１Ａの被ロック段部６１Ａ−１がロック凹部２３Ａ−１内に突入し、該ロック凹部２３Ａ−１の上縁に対してコネクタ抜出方向で係止可能に位置する。この結果、コネクタ１，２の端子２０，６０同士が電気的に導通するとともに互いにロックされる。
【００５７】
また、レセプタクルコネクタ１とプラグコネクタ２の嵌合接続時には、レセプタクルコネクタ１のハウジング１０に設けた衝突面２５ａ〜２５ｄと、プラグコネクタ２のハウジング５０に設けた張出部５１Ａが、嵌合方向「α」において、互いに突き合わされる。
【００５８】
次に、図８、図９を参照して、嵌合解除時におけるレセプタクルコネクタ１とプラグコネクタ２の動作を説明する。図８は、図４、図６に相当する側面図、また、図９の（Ａ）は、図８のＥ−Ｅ線断面図であって、図５及び図７の（Ａ）に相当する図、図９の（Ｂ）は、図８のＦ−Ｆ線断面図であって、図５及び図７の（Ｂ）相当する図である。
【００５９】
レセプタクルコネクタ１とプラグコネクタ２の嵌合を解除する際は、それらを直線状に引き離すのが好ましい。本実施形態の構成では、プラグコネクタ２の幅方向「γ２」における双方の側に、更に詳細には、端子群２０Ａに含まれるレセプタクル信号端子２０の配列範囲２８Ａと端子群２０Ｂに含まれるレセプタクル信号端子２０の配列範囲２８Ｂの双方に、それぞれ、窪み２６を設けていることから、例えば、レセプタクルコネクタ１やプラグコネクタ２がある程度の大きさを有する場合には、これらの窪み２６に冶具等を突き入れることによって、嵌合状態にあるレセプタクルコネクタ１とプラグコネクタ２を容易に直線状に引き離すことも可能である。
また、プラグコネクタ２の幅方向「γ２」における一方の側と他方の側をレセプタクルコネクタ１から引き離すタイミングがずれたことによって、或いは、ユーザがそれらのうちの一方の側だけをレセプタクルコネクタ１から引き離したことによって、更に、プラグコネクタ２に比べて回路基板６が大きく、レセプタクルコネクタ１と嵌合接続状態にあるプラグコネクタ２が回路基板６に隠れて目視することができないことによって、嵌合接続状態にあるレセプタクルコネクタ１とプラグコネクタ２を傾斜状態としてしまった場合であっても、言い換えれば、プラグコネクタ２をレセプタクルコネクタ１に対して「θ」方向に回動させてしまった場合であっても、本実施形態の構成によれば、以下に説明するように、第１コネクタと第２コネクタの嵌合部を可能な限り直線状に引き離すようにして、それらの嵌合部に配置された端子に与える負荷を減らして、嵌合部や端子の破損を防止することができる。
【００６０】
傾斜状態となったとき、張出部５１Ａの少なくとも一部、例えば、張出部５１Ａの嵌合側の面５１Ａ−１のうち、幅方向「γ１」において最も外側に位置する部位５１ａは、嵌合方向「α」において、プラグ信号端子６０の接続部６２と、衝突面２５ａ〜２５ｄとの間に位置付けられる。この結果、レセプタクルコネクタ１のハウジング１０に設けた衝突面２５ａ〜２５ｄと、プラグコネクタ２のハウジング５０に設けた張出部５１Ａの一部、図９の（Ｂ）の例では、特に、張出部５１Ａの嵌合側の面５１Ａ−１のうちの、幅方向「γ１」において最も外側に位置する部位５１ａとが衝突し、プラグコネクタ２は、この衝突部分を中心に、てこの原理を利用して、レセプタクルコネクタ１に対して回動することになる。
【００６１】
明らかなように、この場合、てこの原理において力点となる個所、例えば、窪み２６と、支点となる部位、例えば、部位５１ａとの距離が、大きければ大きい程、端子の嵌合部等の作用点に働く力は大きくなるから、より少ない力で嵌合解除を行うことができることになり、また、支点となる部位（５１ａ）と、端子の嵌合部等の作用点との距離が、大きければ大きい程、プラグコネクタ２はレセプタクルコネクタ１に対して直線状に引き離されることになる。従って、本実施形態に示すように、レセプタクルコネクタ１のハウジング１０に設けた衝突面２５ａ〜２５ｄと、プラグコネクタ２のハウジング５０に設けた張出部５１Ａの一部とを衝突させることによって、それらを衝突させない場合に比べて、レセプタクルコネクタ１とプラグコネクタ２の嵌合部（１２、１６、５３、５６）や、それらの嵌合部に配置された端子（２０、３０、６０、７０）、特に、弾性接触を可能とするために嵌合部内に突出した状態で設けられた端子の弾性接触部（２２Ａ、４４Ａ）等にかかる負荷を小さくすることができる。明らかなように、この場合、支点となる部位は、本実施形態に開示されているように、張出部５１Ａの嵌合側の面５１Ａ−１のうち、幅方向「γ１」において最も外側に位置する部位５１ａとするのが好ましい。
【００６２】
尚、本実施形態では、レセプタクル信号端子２０の接触腕部２２の弾性突部２２Ａが、幅方向「γ１」において受入部１６内に突出した状態となっており、特に、幅方向「γ１」において端子に与える受ける影響が大きいと考えられることから、プラグコネクタ２をレセプタクルコネクタ１に対して幅方向「γ１」において引き離すことを前提として説明したが、詳細に説明するまでもなく、長さ方向「β１」において回動させた場合も同様の原理により、レセプタクルコネクタ１とプラグコネクタ２の嵌合部や端子にかかる負荷を小さくすることができる。この効果は、端子の一部が嵌合部内に弾性突部として突出した状態で設けられている場合に取り分け大きなものとなるが、勿論、必ずしもそのような場合ではなくても、好ましい効果が得られる。  また、本実施形態では、端子はハウジングに一体成形されるものとして説明したが、必ずしも一体成形されている必要はなく、ハウジングに保持されていれば十分である。例えば、端子はハウジングに圧入固定されていてもよい。
【符号の説明】
【００６３】
１  レセプタクルコネクタ（第１コネクタ）
２  プラグコネクタ（第２コネクタ）
１０  ハウジング（第１ハウジング）
１２  突壁
１３  周壁（第１周壁）
１６  受入部 
２０  レセプタクル信号端子（第１端子）
２０Ａ  第１端子群（第一の第１端子群）
２０Ｂ  第１端子群（第二の第１端子群）
２３Ｂ  移行部（凸湾曲部）
２３Ｂ−２  頂部
２４  接続部
２５  衝突面
５０  ハウジング（第２ハウジング）
５１  張出部
５１ａ  最も外側に位置する部位
５３  周壁（第２周壁）
５６  受入部（第２受入部）
６０  プラグ信号端子（第２端子）
６０Ａ  第２端子群（第一の第２端子群）
６０Ｂ  第２端子群（第二の第２端子群）
【図１】
2020068117.tif 000003
【図２】
2020068117.tif 000004
【図３】
2020068117.tif 000005
【図４】
2020068117.tif 000006
【図５】
2020068117.tif 000007
【図６】
2020068117.tif 000008
【図７】
2020068117.tif 000009
【図８】
2020068117.tif 000010
【図９】
2020068117.tif 000011
【手続補正書】
【提出日】令和1年10月4日(2019.10.4)
【手続補正１】
【補正対象書類名】明細書
【補正対象項目名】００３０
【補正方法】変更
【補正の内容】
【００３０】
突壁１２には、長さ方向「β１」でのレセプタクル信号端子２０に対応する位置に信号端子用溝部１２Ａが、そしてレセプタクル電源端子４５に対応する位置に電源端子用溝部１２Ｂが、幅方向「γ１」に対して直角な突壁１２の側面から没するとともに嵌合方向「α」に延びて形成されている。端子用溝部１２Ａ，１２Ｂは、突壁１２の起立範囲の略全域にわたって形成されており、上端位置では開放されているとともに、下端位置では底壁１１によって少なくとも一部を閉塞されている。該端子用溝部１２Ａ，１２Ｂは、端子２０，４５の接触腕部２２，４４を収容している。
【手続補正２】
【補正対象書類名】明細書
【補正対象項目名】００４５
【補正方法】変更
【補正の内容】
【００４５】
［プラグコネクタ２の構成］
次に、プラグコネクタ２の構成について説明する。プラグコネクタ２は、図１、図２で示される姿勢で、回路基板６上に配置実装される。図１、図２に見られるように、プラグコネクタ２は、略直方体外形をなし、嵌合方向「α」と、この嵌合方向「α」と直交する長さ方向「β２」（第２長さ方向）及び幅方向「γ２」（第２幅方向）を有するハウジング（第２ハウジング）５０と、長さ方向「β２」に沿ってハウジング５０に一体モールド成形により配列保持された複数のプラグ信号端子６０及びプラグ電源端子７５Ａ、７５Ｂと、プラグ補強金具７０を有する。プラグ信号端子６０は、幅方向「γ２」において対称な二列をなして、且つ、長さ方向「β２」に沿って複数（ここでは６個）配列されている。また、プラグ電源端子７５は、幅方向「γ２」において対称な二列をなして、且つ、長さ方向「β１」に沿ってプラグ信号端子６０の外側に配列された、計２個のレセプタクル電源端子７５Ａ、７５Ｂを含む。プラグ補強金具７０は、長さ方向「β２」において対向するハウジング５０の端部にそれぞれ１個ずつ配置されている。ここでは長さ方向「β２」を、ハウジング５０の長手方向、幅方向「γ２」を、ハウジング５０の短手方向とし、また、長さ方向「β２」と幅方向「γ２」は直交するものとしているが、長さ方向「β２」を、短手方向、幅方向「γ２」を、長手方向としてもよく、また、長さ方向「β２」と幅方向「γ２」は必ずしも直交する必要はない。